(57)【要約】【課題】タバコの煙等をすばやく確実に取込んで好適に脱臭・浄化し、その煙を比較的早く天井等に設けられた空気清浄取入口に到達させる。【解決手段】遊技場用空気清浄機は、遊技台１０に隣接して設けられ空気の排出口２２と取入口２３とが上下に並んで形成された台間パネル２１と、台間パネル２１に後方から取付けられて排出口と取入口の双方を包囲するハウジング２６と、空気を排出口から吹出して取入口から空気を取入れる送風機３１と、ハウジングの内部空間に取入れられる空気を浄化するクリーナ３６とを備える。クリーナは空気浄化機能を有する粒状又は塊状の触媒体３７とそれを収容するケース３８とを有し、取入口から取入れられる空気が進入する進入口３８ａと空気が排出される排気口３８ｄが形成される。送風機が吹出す空気を台間パネルの前方上方に案内するノズル部材４２が台間パネル２１の前面に取付けられる。【選択図】  図１
2010057523.tif 000002
【特許請求の範囲】
【請求項１】
遊技台(10)に隣接して鉛直方向に延びて設けられ空気の排出口(22)と取入口(23)とが上下に並んで形成された台間パネル(21)と、
前端が開口し内部に空間が形成され前記台間パネル(21)に後方から取付けられて前端における前記開口が前記排出口(22)と前記取入口(23)の双方を包囲するハウジング(26)と、
前記ハウジング(26)の内部空間の空気を前記排出口(22)から吹出して前記取入口(23)から前記内部空間に空気を取入れる送風機(31)と、
前記ハウジング(26)に格納され前記取入口(23)から前記内部空間に取入れられる空気を浄化するクリーナ(36)と
を備えた遊技場用空気清浄機。
【請求項２】
クリーナ(36)は空気浄化機能を有する粒状又は塊状の触媒体(37)と複数の前記触媒体(37)を収容するケース(38)とを有し、取入口(23)から取入れられる空気が進入する進入口(38a)と複数の前記触媒体(37)の間を通過した空気が排出される排気口(38d)が前記ケース(38)に形成された請求項１記載の遊技場用空気清浄機。
【請求項３】
ハウジング(26)が、台間パネル(21)の後方であって前記台間パネル(21)の前面と平行に設けられた鉛直板(26a)と、前記鉛直板(26a)の幅方向の両側から前記台間パネル(21)に向かって設けられた互いに平行な一対の側板(26b,26c)と、前記一対の側板(26b,26c)の上縁の間及び下縁の間を塞ぐ上板(26d)及び下板(26e)とを有し、
ケース(38)は，前記ハウジング(26)に格納された状態で前記一対の側板のいずれか一方の側板(26b)に重合する底板(38b)と，前記底板(38b)の周囲から立ち上げられた周壁(38c)とを有し、
前記ケース(38)が前記ハウジング(26)に格納された状態で前記一対の側板のいずれか他方の側板(26c)により前記周壁(38c)の端縁により包囲される開口部が閉じられて前記開口部を介して前記ケース(38)に収容された触媒体(37)の取出しが不能に構成された請求項２記載の遊技場用空気清浄機。
【請求項４】
触媒体(37)が粒状の担体と前記担体の表面に形成され空気に含まれる臭い物質、有害物質及び汚染物質を吸着分解する活性層からなるペレット触媒であって、前記活性層に貝殻を粉砕して得られた貝殻粉末が含まれる請求項２又は３記載の遊技場用空気清浄機。
【請求項５】
台間パネル(21)に形成された取入口(23)に対向するようにクリーナ(36)がハウジング(26)に格納され、前記取入口(23)を後方から覆い前記取入口(23)から取入れられる空気から塵埃を除去するフィルタ(41)が前記台間パネル(21)と前記クリーナ(36)の間に挟持された請求項１ないし４いずれか１項に記載の遊技場用空気清浄機。
【請求項６】
排出口(22)を覆い送風機(31)が吹出す空気を前記台間パネル(21)の前方上方に案内するノズル部材(42)が前記台間パネル(21)の前面に取付けられた請求項１ないし５いずれか１項に記載の遊技場用空気清浄機。
【発明の詳細な説明】
【技術分野】
【０００１】
本発明は、遊技場における空気の浄化・脱臭・殺菌を行う空気清浄機に関する。更に詳しくは、パチンコ店等の遊技場における遊技台に隣接して設けられ、タバコの煙やタバコ臭を効率良く処理することができる遊技場用空気清浄機に関するものである。
【背景技術】
【０００２】
従来、パチンコ台やスロットマシン等の遊技台を設置する遊技場にあっては、遊技する人が長時間遊技する間に喫煙することが多いことから、室内には常にタバコ臭及びタバコ煙が充満している。このタバコの煙は、タバコを吸わない人のみならず、タバコを吸う人にあっても健康面・環境面からも好ましいものではないことから、遊技場は常時空気を浄化することが求められている。そこで、室内の天井等にダクトを配設して、ここから室内の空気を取込んで別途に設置されている空気清浄装置を用いて集中方式で空気浄化を行うことが通常行われている。
【０００３】
しかし、この集中方式の空気浄化にあっては、かなり強力な能力を備えた装置であったとしても、喫煙者が吸うタバコの煙が天井等の空気取入口に到達するまでの間に、かなりの時間浮遊するため、室内空間が広い場所ほど空気浄化効果が低くなるものであった。
この点を解消するために、遊技台の上部に１台ごとにコンパクトな空気清浄機を配置することが提案されている（例えば、特許文献１参照。）。この空気清浄機は空気浄化のための光触触媒ユニットを有し、遊技台の前に着座して遊技する人がそこで喫煙し、それにより生じるタバコの煙は、遊技台上部の空気清浄機に取込まれて消臭・浄化され、その結果清浄された空気が吹出されるとしている。
【特許文献１】特開２００６−２８１１６９号公報
【発明の開示】
【発明が解決しようとする課題】
【０００４】
しかし、遊技する人が手に持つタバコは、遊技台の下部に配置された灰皿に位置していることが多い。このため、この遊技台下部のタバコの煙を遊技台上部の空気清浄機に短時間に吸い込ませるほどの大きな流速の空気流は、遊技台の上部に設置される空気清浄機では発生させることができなかった。よって、遊技台ごとに設置された上述した従来の空気清浄機であっても、遊技する人に対するタバコの煙の影響を皆無にすることはできないという未だ解決すべき課題が残存していた。
【０００５】
本発明の目的は、パチンコ店等の遊技場においてタバコの煙等をすばやく確実に取込んで脱臭・浄化するとともに、遊技台下部のタバコの煙が天井に向かう空気流を生じさせて、喫煙者が吸うタバコの煙を比較的早く天井等に設けられた空気清浄取入口に到達させ得る遊技場用空気清浄機を提供することにある。
【課題を解決するための手段】
【０００６】
請求項１に係る発明は、遊技台１０に隣接して鉛直方向に延びて設けられ空気の排出口２２と取入口２３とが上下に並んで形成された台間パネル２１と、前端が開口し内部に空間が形成され台間パネル２１に後方から取付けられて前端における開口が排出口２２と取入口２３の双方を包囲するハウジング２６と、ハウジング２６の内部空間の空気を排出口２２から吹出して取入口２３から内部空間に空気を取入れる送風機３１と、ハウジング２６に格納され取入口２３から内部空間に取入れられる空気を浄化するクリーナ３６とを備えた遊技場用空気清浄機である。
【０００７】
この請求項１に記載された遊技場用空気清浄機では、送風機３１が駆動するとハウジング２６の内部空間の空気が排出口２２から吹出され、取入口２３から内部空間に空気が取入れられる。取入口２３から取入れられた空気は、図１の一点鎖線矢印で示すように、クリーナ３６を通過する際に浄化され、送風機３１により排出口２２から吹出される。よって、空気を取入れる取入口２３を灰皿１６近傍の台間パネル２１の下部とすることにより、遊技場において遊技台下部のタバコの煙等をすばやく確実に取込んで好適に脱臭・浄化することができる。
【０００８】
請求項２に係る発明は、請求項１に係る発明であって、クリーナ３６は空気浄化機能を有する粒状又は塊状の触媒体３７と複数の触媒体３７を収容するケース３８とを有し、取入口２３から取入れられる空気が進入する進入口３８ａと複数の触媒体３７の間を通過した空気が排出される排気口３８ｄがケース３８に形成されたことを特徴とする。
一般的に、空気を浄化するクリーナ３６にあっては、定期的にそのメンテナンスを行うことが必要とされるけれども、この請求項２に記載された遊技場用空気清浄機では、触媒体３７又はその触媒体３７をそれを収容するケース３８とともに交換するだけの比較的単純な作業でそのメンテナンスを完了させることができる。
【０００９】
請求項３に係る発明は、請求項２に係る発明であって、ハウジング２６が、台間パネル２１の後方であって台間パネル２１の前面と平行に設けられた鉛直板２６ａと、鉛直板２６ａの幅方向の両側から台間パネル２１に向かって設けられた互いに平行な一対の側板２６ｂ，２６ｃと、一対の側板２６ｂ，２６ｃの上縁の間及び下縁の間を塞ぐ上板２６ｄ及び下板２６ｅとを有し、ケース３８は，ハウジング２６に格納された状態で一対の側板のいずれか一方の側板２６ｂに重合する底板３８ｂと，底板３８ｂの周囲から立ち上げられた周壁３８ｃとを有し、ケース３８がハウジング２６に格納された状態で一対の側板のいずれか他方の側板２６ｃにより周壁３８ｃの端縁により包囲される開口部が閉じられて開口部を介してケース３８に収容された触媒体３７の取出しが不能に構成されたことを特徴とする。
請求項３に記載された遊技場用空気清浄機では、ケース３８が底板３８ｂと周壁３８ｃのみからなるので、その構造が単純化し、比較的安価なケース３８を得ることができる。一方、このケース３８は有底であって蓋のないものであるけれども、他方の側板２６ｃにより閉じられ、そのケース３８に収容された触媒体３７がそのケース３８から外部に出てしまうようなことは防止される。
【００１０】
請求項４に係る発明は、請求項２又は３に係る発明であって、触媒体３７が粒状の担体と担体の表面に形成され空気に含まれる臭い物質、有害物質及び汚染物質を吸着分解する活性層からなるペレット触媒であって、活性層に貝殻を粉砕して得られた貝殻粉末が含まれることを特徴とする。
この請求項４に記載された遊技場用空気清浄機では、比較的安価な触媒体３７を得ることができ、その維持管理及びメンテナンス費用を安価にさせるとともに、貝殻粉末を用いることによりゴミの削減にも寄与することができる。
【００１１】
請求項５に係る発明は、請求項１ないし４いずれか１項に係る発明であって、台間パネル２１に形成された取入口２３に対向するようにクリーナ３６がハウジング２６に格納され、取入口２３を後方から覆い取入口２３から取入れられる空気から塵埃を除去するフィルタ４１が台間パネル２１とクリーナ３６の間に挟持されたことを特徴とする。
この請求項５に記載された遊技場用空気清浄機では、フィルタ４１が取入口２３から取入れられる空気から塵埃を除去するので、クリーナ３６が塵埃により汚染されることを回避するとともに、挟持により圧縮された状態でフィルタ４１を取付けることによりクリーナ３６を押し付け、送風機３１を駆動させた際に生じる振動によりケース３８がハウジング２６の内部で移動するような事態やその振動に起因する異音の発生を防止することができる。
【００１２】
請求項６に係る発明は、請求項１ないし５いずれか１項に係る発明であって、排出口２２を覆い送風機３１が吹出す空気を台間パネル２１の前方上方に案内するノズル部材４２が台間パネル２１の前面に取付けられたことを特徴とする。
この請求項６に記載された遊技場用空気清浄機では、ノズル部材４２により台間パネル２１の前方上方に向かって吹出される空気は遊技台１０の間に空気の壁を作り、喫煙者が遊戯する遊技台１０に隣接する遊技台１０にまでタバコの煙が達することを防止する。また、上方に吹出された空気はその周囲における喫煙の煙を取込んでその煙とともに上方に移動するので、遊技台下部のタバコの煙が天井に向かう空気流を生じさせることができ、遊技台１０周囲のタバコの煙を遊技台１０上部の別に設けられた空気清浄装置に短時間に吸い込ませることができる。更に、遊技場の通路を歩行する人やその通路を挟んだ背面側の別の遊技台１０で遊戯する者に空気が直接吹きかかるような事態を防止することもできる。
【発明の効果】
【００１３】
本発明の遊技場用空気清浄機では、台間パネルと、前端における開口が排出口と取入口の双方を包囲するハウジングと、送風機と、クリーナとを備えたので、送風機が駆動させることにより、その台間パネルの下部であって灰皿の近傍に位置する取入口から空気を取入れ、クリーナにより浄化した後に排出口から吹出させる。これにより、タバコの煙等をすばやく確実に取込んで好適に脱臭・浄化することができる。そして、クリーナが、粒状又は塊状の触媒体と、それらを収容するケースとを有するものであれば、それらを交換するだけの比較的単純な作業でそのメンテナンスを完了させることができる。そして、触媒体の活性層に貝殻を粉砕して得られた貝殻粉末を含ませれば、ゴミの削減にも寄与することができる。
【００１４】
また、排出口を覆い送風機から吹出される空気を台間パネルの前方上方に案内するノズル部材を台間パネルの前面に取付ければ、その空気は遊技台の間に空気の壁を作り、喫煙者が遊戯する遊技台に隣接する遊技台にまでタバコの煙が達することを防止することができる。また、上方に吹出された空気はその周囲における喫煙の煙を取込んでその煙とともに上方に移動するので、遊技台下部のタバコの煙が天井に向かう空気流が生じ、遊技台周囲のタバコの煙を遊技台上部の別に設けられた空気清浄装置に短時間に吸い込ませることができる。更に、遊技場の通路を歩行する人やその通路を挟んだ背面側の別の遊技台で遊戯する者に空気が直接吹きかかるような事態を防止することもできる。
【発明を実施するための最良の形態】
【００１５】
次に本発明を実施するための最良の形態を図面に基づいて説明する。
図６に示すように、遊技場内には、遊技台であるパチンコゲーム機１０と、このゲーム機１０で使用するパチンコ玉を貸出す遊技媒体貸出装置１１とが複数並設される。遊技媒体貸出装置１１は、硬貨投入口１１ａから投入された硬貨の枚数に応じてパチンコ玉をその下部に設けられた貸出口１１ｂから排出するように構成されたものである。また、遊技台であるパチンコゲーム機１０は、遊技者によって発射されたパチンコ球が移動してゲームを進行させるための各種部品が取付けられた遊技盤１２を前面ガラスの内側に備え、その下方正面に、パチンコ球の受け皿１３や、遊技者がパチンコ球の打ち出し操作するためのハンドル１４等を備える。そして、この遊技台であるパチンコゲーム機１０には、そのハンドル１４の下方に喫煙者のための灰皿１６が設けられる。本発明の遊技場用空気清浄機２０は、このような遊技台１０に隣接して設けられるものであって、この実施の形態では遊技台であるパチンコゲーム機１０に遊技媒体貸出装置１１とともに併設される例を示す。
【００１６】
図４〜図６に示すように、本発明の空気清浄機２０は、遊技台１０に隣接して設けられた台間パネル２１を備える。台間パネル２１は遊技台１０の間を塞ぐような幅を有し、貸出装置１１に併設可能に鉛直方向に延びる縦長に形成される。この台間パネル２１は長尺状の鋼板の両側を同一方向に折り曲げることにより断面がコ字状に形成され、遊技台１０の間を実際に塞ぐ縦長の中央板２１ａと、その中央板２１ａの幅方向の両側に折り曲げられて形成されたフランジ２１ｂとを有する。また、中央板２１ａの上部及び下部もフランジ２１ｂ側に折り曲げられ、取付孔２１ｄが形成された取付板２１ｅが形成される。この台間パネル２１は、中央板２１ａが遊技台１０の間を塞いた状態で取付板２１ｅが取付孔２１ｄを介して取付けられ、遊技台１０に隣接して設けられるように構成される。また、図５に示すように、台間パネル２１の高さをＬとすると、灰皿１６の近傍に位置する台間パネル２１の下部、即ち台間パネル２１の下端からＬ／３の範囲に排出口２２と取入口２３が形成される。具体的にこの実施の形態における排出口２２と取入口２３は、図２に示すように、この台間パネル２１の下部における中央板２１ａを打ち抜くことにより上下に並んで形成され、その排出口２２は比較的大きな方形状の単一の孔からなり、その空気取入口２３は、比較的小径の複数の小孔２３ａから形成される場合を示す。
【００１７】
また、本発明の空気清浄機２０は、台間パネル２１に後方から取付けられたハウジング２６を備える。図２〜図４に示すように、ハウジング２６は、台間パネル２１の後方であって台間パネル２１の前面と平行に設けられた鉛直板２６ａと、その鉛直板２６ａの両側から台間パネル２１に向かって設けられた互いに平行な一対の側板２６ｂ，２６ｃと、その一対の側板２６ｂ，２６ｃの上縁の間及び下縁の間を塞ぐ上板２６ｄ及び下板２６ｅとを有する。一対の側板２６ｂ，２６ｃと上板２６ｄ及び下板２６ｅの前後方向の長さは等しく形成され、それらの前端によりハウジング２６の前端は開口し、かつその内部に空間が形成される。このハウジング２６は台間パネル２１に後方から離脱可能に取付けられ、その前端における開口が台間パネル２１に形成された取入口２３と排出口２２の双方を包囲し、これによりそのハウジング２６は取入口２３と排出口２２の双方を後方から覆うように構成される。
【００１８】
図３及び図４の拡大図に示すように、この実施の形態では、ハウジング２６の上板２６ｄ及び下板２６ｅに対向する台間パネル２１の両側におけるフランジ２１ｂにＬ字状の切り欠き２７，２８が形成され、ハウジング２６の上板２６ｄ及び下板２６ｅの前部両側にはこの切り欠き２７，２８に係止可能な突起２６ｆ，２６ｇが形成される。上板２６ｄの突起２６ｆに対向するＬ字状の切り欠き２７はフランジ２１ｂの後端から前方に向かい、その前端で下方に折り曲がるように形成され、下板２６ｅの突起２６ｇに対向するＬ字状の切り欠き２８はフランジ２１ｂの後端から前方に向かい、その前端で上方に折り曲がるように形成される。ハウジング２６の上板２６ｄ及び下板２６ｅは鉛直板２６ａに後端が固着され、側部は一対の側板２６ｂ，２６ｃに固着することなく、突起２６ｆ，２６ｇが形成された上板２６ｄ及び下板２６ｅの前部は上板２６ｄ及び下板２６ｅの弾性により上下に揺動可能に構成される。
【００１９】
図３に示すように、このハウジング２６の台間パネル２１への取付けは、先ず下板２６ｅにおける突起２６ｇを前面パネルのフランジ２１ｂに形成された下側の切り欠き２８に係止させる。その後上板２６ｄを湾曲させてその上板２６ｄの前部両側に形成された突起２６ｆを上側の切り欠き２７に後方から前方に向かって挿入し、その前端で下方に折り曲がったＬ字状の切り欠き２７に落とし込む。するとその突起２６ｆは上側の切り欠き２７に係止し、これによりハウジング２６を台間パネル２１に後方から取付けることができる。なお、このハウジング２６は上下方向を逆にしても取付けることが可能な構造をしている。しかし、後述するけれども、図１に示すように、送風機３１は、その吹出口３１ａがハウジング２６の前端開口より前方に突出するようにハウジング２６に取付けられる。そして、台間パネル２１にハウジング２６が取付けられた状態で台間パネル２１の前方にその吹出口３１ａが排出口２２からも突出するように取付けられる。このため、ハウジング２６の前端から突出した送風機３１の吹出口３１ａは、ハウジング２６の上下方向を認識するための目安となるとともに、ハウジング２６を上下方向を逆にして取付けようとすると、吹出口３１ａが取入口２３に当接する。このため、上下逆の状態でハウジング２６が台間パネル２１に取付けられることを防止することができる。
【００２０】
一方、このように取付けられたハウジング２６をそのパネル２１から離脱させるには、上板２６ｄをその弾性により湾曲させて上板２６ｄにおける突起２６ｆをいったん持ち上げてＬ字状の切り欠き２７の前端における落とし込みを解除させた後、その状態で上板２６ｄ自体が後方に移動するようにハウジング２６全体を図３に示すように傾ける。これにより上板２６ｄの前部両側に形成された突起２６ｆはその切り欠き２７から離脱する。その後下板２６ｅの形成された突起２６ｇを下側の切り欠き２８から同様に取出す。これにより、ハウジング２６を台間パネル２１から取外すことができる。
【００２１】
図１及び図２に示すように、ハウジング２６には、そのハウジング２６の内部空間の空気を台間パネル２１における排出口２２から吹出して台間パネル２１の取入口２３から内部空間に空気を取入れる送風機３１が設けられる。送風機３１は図示しないリード線を介して供給される電力により駆動するモータ駆動であって、その吹出口３１ａがハウジング２６の前端開口より前方に突出するように、ハウジング２６の内部の上部に台間パネル２１の排出口２２に対向するように取付けられる。この送風機３１は市販されている既存のものであって、この取付けは止めねじ３２により行われ、送風機３１には取付用の取付孔３１ｂ（図２）が形成される。図２に示すように、ハウジング２６における一方の側板２６ｂには取付孔３１ｂに対向する位置に雌ねじ孔２６ｈが形成され、他方の側板２６ｃには、この雌ねじ孔２６ｈに対向して、その止めねじ３２の挿通を許容する丸孔２６ｊが形成される。
【００２２】
送風機３１の取付けは、送風機３１を取付けようとする箇所に位置させると、取付孔３１ｂが雌ねじ孔２６ｈに対向し、その状態で丸孔２６ｊに止めねじ３２を挿通させて取付孔３１ｂに挿入し、その後雌ねじ孔２６ｈに螺合することによりハウジング２６に取付けるようになっている。そして、この状態で送風機３１の吹出口３１ａはハウジング２６の前端開口より前方に突出し、図１に示すように、台間パネル２１にハウジング２６が取付けられた状態で、その吹出口３１ａは排出口２２からも突出して、吹出口３１ａから空気を台間パネル２１の前方斜め上方に吹出すように送風機３１がハウジング２６に取付けられる。なお、この実施の形態では、この送風機３１を操作するスイッチが台間パネル２１に、図５及び図６における符号３３で表され、このスイッチ３３をオン操作することにより図示しないリード線を介して電力が供給され、送風機３１が駆動してハウジング２６の内部空間の空気を排出口２２から吹出し、このスイッチ３３をオフ操作することにより電力の供給は遮断され、送風機３１が停止するように構成される。
【００２３】
図１及び図２に戻って、ハウジング２６には、台間パネル２１に形成された取入口２３に対向するようにクリーナ３６が格納され、このクリーナ３６は台間パネル２１に形成された取入口２３からハウジング２６の内部空間に取入れられる空気を浄化するように構成される。この実施の形態におけるクリーナ３６は、空気浄化機能を有する粒状又は塊状の触媒体３７と、複数の触媒体３７を収容してハウジング２６に格納されるケース３８とを有する。触媒体３７としては、粒状のペレット触媒が挙げられ、このペレット触媒としては、粒状の担体と、その担体の表面に形成され空気に含まれる臭い物質、有害物質及び汚染物質を吸着分解する活性層からなるようなものが例示される。
【００２４】
ここで、担体としてはセラミック、ガラス、金属又はプラスチックから成ものが挙げられ、発泡体であることが好ましい。具体的に、セラミック発泡体としては発泡アルミナ、発泡マグネシア、発泡ジルコニアが例示され、ガラス発泡体としては泡ガラスや半融ガラスが例示される。また、金属発泡体としては発泡ニッケル、発泡銅、発泡ステンレスが例示され、プラスチック発泡体としては発泡ポリスチレン、発泡ポリウレタン、発泡ポリエチレンが例示される。
【００２５】
一方、担体の表面に形成される活性層としては、二酸化チタンを含むものがよく知られている。けれども、これに限らず、活性層は天然素材を粉砕して生成された天然素材セラミックを含むものであっても良い。この天然素材としては貝殻が例示され、各種の貝の貝殻を利用することができる。特に食用の中身を取出して不用物として今迄は廃棄処分されてきた貝殻は入手が極めて容易である。例えば、ホタテ、カキ、ホッキ貝、ミル貝、蛤、アコヤ貝、アサリ、アワビなどの貝殻が使用でき、これらの他の貝殻も使用できる。このように、不用物として処理されている貝殻を用いるようにすれば、不用物の有効利用となるとともにゴミの削減にも寄与することができる。この天然素材である貝殻はカルシウムを含む天然多孔質素材であって、この天然多孔質素材を焼成して粉砕した貝殻粉末も多孔質でかつアルカリ性を示すものである。このため、貝殻粉末を空気中におくようにすることで、酸性を示す二酸化炭素そして、揮発性有機化合物やホルムアルデヒドなどの有害物質がこの貝殻粉末に吸着されるようになり、触媒としてこれらを分解する作用が生じるようになる。
【００２６】
この貝殻粉末を得る手段を例示すると、まず、不用となった貝殻を集めて天日乾燥を行って乾かし硬化させる。次にこの貝殻を粒径約２００μｍとなるまでに粉砕する。粉砕方法自体は特に限定するものではなく、既存の粉砕装置を用いれば良い。このようにして炭酸カルシウムからなる貝殻粉末が得られるものものであり、この貝殻粉末は多孔性となっている。次に上述の多孔質性の炭酸カルシウムからなる貝殻粉末の一部分を用いてこれをセラミックの壺に入れて約１０００℃の温度で数十分から数時間程度の時間で加熱して酸化カルシウム粉末を得るようにする。そしてこの酸化カルシウム粉末と上記炭酸カルシウムからなる貝殻粉末とを混合することが好ましい。この混合粉末を例えば水溶性接着剤と混ぜ合わせて液体とし、これを前述した担体の表面に塗布して定着させることのよりその担体の表面に活性層を形成することができる。
【００２７】
ここで、担体の表面に定着させるために使用する水溶性接着剤にあっても、天然素材のものであることが好ましい。例えば、カゼイン、植物性タンパク、膠、ゼラチン、トラカントゴム、アラビヤゴム、デンプン、デキストリンなどが選択できる。また、接着性を有する水溶性の合成高分子化合物も採用することができ、例えば、酢酸ビニル樹脂、ポリビニルアルコール、ポリビニルエーテルなどが挙げられる。このように担体の表面に貝殻粉末を含む活性層を形成することにより、空気に含まれる臭い物質、有害物質及び汚染物質を吸着分解する触媒体３７としてのペレット触媒を得ることができる。
【００２８】
なお、図では球状の担体を用いた場合を例示し、それにより触媒体３７の形状を球状のものとして記載しているけれども、この担体は球状に限らず、円柱状、直方体又は立方体のような形状をしていても良く、円柱状のものの中央に孔が形成されたチューブ状のものであっても良い。このような担体の表面に活性層を形成し、円柱状、直方体又は立方体のようなペレット触媒やチューブ状のペレット触媒からなる触媒体３７であっても良い。そして、この触媒体３７の大きさは、後述するケース３８に形成される進入口３８ａに挿通不能な大きさに形成される。即ち、触媒体３７が球体であればその直径、円柱状であればその高さ及び断面直径、直方体又は立方体であればその一辺がその進入口３８ａより大きく形成され、具体的にそれらはそれぞれ５〜２０ｍｍであることが好ましく、５〜１５ｍｍであることが更に好ましい。
【００２９】
また、この触媒体３７は上記ペレット触媒に代表されるような粒状のものに限られず、塊状のものであっても良い。この塊状の触媒体３７としては、例えばホタテの貝殻を破砕したものが挙げられる。ホタテはその生態において、貝殻を開閉して海水を勢いよく外部に放出することで海中を泳ぐように機敏に移動を行い、ヒトデなどの捕捉者から逃げる動作が特長的であり、この動作が行えるように大きな貝柱を有するとともに、貝殻自体が比較的薄く軽量で、かつ、強度を有するという特徴を兼ね備えている。即ち、ホタテの貝殻では、炭酸カルシウムの方解石型構造の結晶構造体が葉状構造を呈して貝内面側が形成され、貝殻厚さ方向での芯となる貝内層では、炭酸カルシウムの方解石型構造の結晶構造体が板状構造を呈している。このように、この貝内面側と貝内層との構造が表層部や蝶番部を除いた部分である貝殻の主要部を形作っているため、ホタテの貝殻は、薄く軽量でありながら強度のあるものとなっている。このため、このホタテの貝殻を破砕して得られた塊状の破砕片は方解石型構造が残って多孔質性を備えたものとなり、空気に含まれる臭い物質、有害物質及び汚染物質を吸着分解する触媒体３７となりうるものである。このような塊状の破砕片からなる触媒体３７であっても、後述するケース３８に形成される進入口３８ａに挿通不能な大きさに形成される。
【００３０】
図２に示すように、このような触媒体３７を収容するケース３８は、鋼板を折り曲げ加工することにより作られ、ハウジング２６に格納された状態で一対の側板２６ｂ，２６ｃのいずれか一方の側板２６ｂに重合する方形状の底板３８ｂと，その底板３８ｂの周囲４辺からその底板３８ｂを包囲するように立ち上げられた４枚の周壁３８ｃとを有する。周壁３８ｃの高さはハウジング２６の一対の側板２６ｂ，２６ｃの間隔よりも僅かに低く形成され、これによりこのケース３８はその周壁３８ｃの端縁が開口された有底のものとなる。具体的に、ハウジング２６の一対の側板２６ｂ，２６ｃの間隔と周壁３８ｃの高さの差が触媒体３７の大きさよりも小さくなるように形成され、このケース３８がハウジング２６に格納された状態で一対の側板２６ｂ，２６ｃのいずれか他方の側板２６ｃにより周壁３８ｃの端縁により包囲される開口部が閉じられてその開口部を介してケース３８に収容された触媒体３７の取出しが不能に構成される。一方の側板２６ｂに重合する底板３８ｂは、その上下方向で送風機３１と底板３８ｂとの間を塞ぐような長さに形成され、前後のおける長さはハウジング２６における一対の側板２６ｂ，２６ｃ及び下板２６ｅの前後方向の長さと等しいか、或いは僅かに短く形成される。
【００３１】
このケース３８には、台間パネル２１に形成された取入口２３からケース３８内部の空間に取入れられる空気が進入する進入口３８ａと、ケース３８に収容されてその空間に存在する触媒体３７の間を通過した空気が排出される排気口３８ｄが形成される。図１では、ケース３８がハウジング２６に格納された状態で取入口２３に対向する周壁３８ｃに進入口３８ａが形成され、送風機３１に対向する周壁３８ｃに排気口３８ｄ（図１）が形成される場合を示す。この進入口３８ａと排気口３８ｄは粒状又は塊状の触媒体３７が通過不能な複数の小孔からなり、ケース３８内部に収納された触媒体３７がその進入口３８ａ又は排気口３８ｄを介してケース３８の外部に出さないように構成される。
【００３２】
また、この実施の形態では、進入口３８ａからケース３８内部に進入する空気を、排気口３８ｄに対向する対面位置に案内する案内部材３９がケース３８に設けられる。この案内部材３９は周壁３８ｃの高さと同じ幅を有する帯板を折り曲げることにより作られ、進入口３８ａをケース３８の内側から覆う覆い部３９ａとその覆い部３９ａにより案内された空気を排気口３８ｄに対向する対面位置に案内する案内部３９ｂとを有する。この案内部３９ｂには進入口３８ａを構成する小孔と略同一の小孔３９ｃ（図２）が形成され、覆い部３９ａにより案内されてこの案内部３９ｂとそれに対面する周壁３８ｃとの間に入り込んだ空気がこの小孔３９ｃを通過して複数の触媒体３７の間に導かれ、その後、対面の周壁３８ｃに形成された排気口３８ｄに達するように構成される。
【００３３】
一方、台間パネル２１とクリーナ３６の間には、台間パネル２１の取入口２３を後方から覆うフィルタ４１が設けられ、このフィルタ４１はその台間パネル２１とクリーナ３６を構成するケース３８により挟持される。このフィルタ４１は、いわゆるスポンジと言われる海綿状のプラスチック発泡体からなるシート状又は薄板状のものであって、発泡ポリスチレン、発泡ポリウレタン、発泡ポリエチレン等からなるものが例示される。このフィルタ４１は台間パネル２１とケース３８の間に存在し、海綿状であることから台間パネル２１に形成された取入口２３からハウジング２６の内部空間に取入れられる空気を濾過し、その空気から塵埃を除去するように構成される。そして、挟持により圧縮された状態で取付けられるので、ハウジング２６が台間パネル２１に取付けられた状態で弾性によりそのハウジング２６に格納されたケース３８をハウジング２６の鉛直板２６ａに押し付け、送風機３１を駆動させた際に生じる振動によりケース３８がハウジング２６の内部で移動するような事態やその振動に起因する異音の発生を防止するように構成される。そして、このフィルタ４１は、台間パネル２１の取入口２３を後方から覆うものであるので、その取入口２３を介してケース３８自体が直接視認されること、又はその取入口２３及びケース３８の進入口３８ａを介して，そのケース３８内部に設けられた触媒体３７が視認されることは防止され、外観上の見栄えが低下することを回避するものでもある。
【００３４】
図１に示すように、台間パネル２１の前面には、台間パネル２１に形成された排出口２２を覆うノズル部材４２が取付けられる。このノズル部材４２は、排出口２２から前方に突出する送風機３１の吹出口３１ａとともにその排出口２２を覆うように構成される。このノズル部材４２は、送風機３１の吹出口３１ａから吹出される空気を台間パネル２１の前方上方に案内するものであって、樹脂成型品から構成される。このノズル部材４２は上下方向に長く形成され、その前面中央には縦長の吹出しスリット４２ａ（図６）が形成される。そして、このノズル部材４２は、その下部が排出口２２を送風機３１の吹出口３１ａとともに覆う幅に形成される。図１に示すように、下部には排出口２２の下縁に係止するフック４２ｂが一体的に形成され、その上部にはタッピングねじ４３が螺合するねじ穴４２ｃが形成される。そして、フック４２ｂを排出口２２に係止させ、台間パネル２１に形成された挿通孔２１ｃに後方から挿通されたタッピングねじ４３を上部のねじ穴４２ｃに螺着することにより、このノズル部材４２は台間パネル２１の前面に取付けられる。このノズル部材４２は、台間パネル２１に取付けられた状態で台間パネル２１との間に縦長の空間を形成し、送風機３１の吹出口３１ａからその空間の下部に吹出される空気をこの縦長の空間の上方に案内するように構成される。そしてこのノズル部材４２には、縦長の空間を下部から上方に向かって流れる空気を、中央に縦長に形成された吹出しスリット４２ａから台間パネル２１の前方上方に案内してそのまま吹出させる複数のフィン４２ｄが形成される。
【００３５】
次に、このように構成された遊技場用空気清浄機の動作を説明する。
図６及び図７に示すように、遊技台１０の前で着座してその遊技台１０で遊技する人が喫煙する際に、その遊技者は、灰皿１６が設けられた側の台間パネル２１に設けられたスイッチ３３をオン操作する。すると、送風機３１が駆動してその台間パネル２１に設けられたハウジング２６の内部空間の空気が排出口２２から吹出され、図１の一点鎖線矢印で示すように、灰皿１６の近傍に位置する台間パネル２１の下部、即ち、台間パネル２１の下端から全高Ｌの１／３の範囲に形成された取入口２３から内部空間に空気が取入れられる。すると、遊技者が灰皿１６にタバコを置いた場合にそのタバコから発せられる煙は台間パネル２１の取入口２３からハウジング２６の内部空間に取入れられることになる。
【００３６】
図１に示すように、取入口２３からハウジング２６の内部に取入れられた空気はフィルタ４１を通過した後、進入口３８ａからケース３８の内部に進入する。このフィルタ４１では、取入口２３か取入れられる空気から塵埃が除去される。進入口３８ａからケース３８の内部に進入した空気は案内部材３９の覆い部３９ａにより案内され、排出口２２に対向する対面位置に移動した後、案内部３９ｂに形成された小孔３９ｃを通過して触媒体３７の間を通過する。この触媒体３７の間を通過する際に、その空気に含まれるタバコの煙や酸性を示す二酸化炭素、揮発性有機化合物やホルムアルデヒドなどの有害物質がその触媒体３７に吸着され、消臭・浄化された空気がケース３８の周壁３８ｃに形成された排気口３８ｄからそのケース３８の外部であるハウジング２６の内部空間に排出される。この時、案内部材３９は、進入口３８ａからケース３８内部に進入する空気を排気口３８ｄに対向する対面位置に案内するので、その空気は触媒体３７の間を比較的長い距離通過することになり、その空気に含まれる有害物質を触媒体３７に効果的に吸着させることができる。消臭・浄化されてハウジング２６の内部空間にケース３８から排出された空気は送風機３１により排出口２２から吹出される。これにより、遊技場において遊技台１０の下部における灰皿１６近傍のタバコの煙等をすばやく確実に取込んで脱臭・浄化することができる。
【００３７】
また、送風機３１により排出口２２から前方斜め上方に吹出された空気は、ノズル部材４２により台間パネル２１の上方に案内される。従って、台間パネル２１の下部に排出口２２と取入口２３を上下に並んで形成したけれども、このノズル部材４２により、排出口２２から吹出された空気が再び取入口２３から取入れられるようなことを防止することができる。これにより、排出口２２と取入口２３とを近接して形成することが可能となり、前端における開口が排出口２２と取入口２３の双方を包囲するハウジング２６を小型化かつその形状を単純化させるとともに、浄化された空気が再び取入れられることに起因する空気浄化機能の低下を回避することができる。
【００３８】
また、ノズル部材４２は、台間パネル２１の下部に形成された排出口２２を送風機３１の吹出口３１ａとともに覆うので、送風機３１の吹出口３１ａが台間パネル２１の前方に突出することに起因する見栄えの悪化を回避することができる。
また、図７に示すように、ノズル部材４２は台間パネル２１の下部に形成された排出口２２を覆うので、そのノズル部材４２により台間パネル２１の前方斜め上方に向かって吹出される空気は、その台間パネル２１の下部から上部にわたって遊技台１０の間に空気の壁を作ることになる。このため、この空気の壁により喫煙者が吐き出したタバコの煙がその喫煙者が遊戯する遊技台１０に隣接する遊技台１０にまで達することを防止することができ、喫煙者に隣接する遊技台１０で遊戯するものにその煙が吹きかかることを有効に回避することができる。
【００３９】
また、ノズル部材４２により上方に吹出された空気はその周囲における喫煙の煙を取込んでその煙とともに上方に移動し、別に設けられた図示しない空気清浄装置の空気取入口に達する。このため、遊技台１０下部のタバコの煙が天井に向かう空気流が生じ、遊技台１０周囲のタバコの煙を遊技台１０上部の別に設けられた空気清浄装置に短時間に吸い込ませることができる。この結果、遊技場の内部がタバコの煙により充満することは回避され、遊技する人に対するタバコの煙の影響をより少なくすることができる。
【００４０】
更に、図７に示すように、遊技場では、遊技島と遊技島の間に通路が設けられているけれども、ノズル部材４２は台間パネル２１の前方上方に向かって空気を吹出させるので、遊技場における遊技島と遊技島の間に設けられた通路を歩行する人やその通路を挟んだ背面側の別の遊技台１０で遊戯する者にその空気が直接吹きかかるような事態を防止することもできる。
【００４１】
なお、上述した実施の形態では、遊技台であるパチンコゲーム機１０である場合を説明したが、遊技台はスロットマシンであっても良い。
また、上述した実施の形態では、喫煙者がスイッチ３３をオン動作する場合を説明したが、隣接する遊技者のタバコの煙が降りかかることを防止するために、喫煙者と隣接して遊戯するものであって喫煙しない遊技者がこのスイッチ３３を操作するようにしても良く、遊技場の管理者や管理用コンピュータがこのスイッチ３３を操作するようにしても良い。また、煙センサ等の煙検出手段を別に設け、この煙検出手段が煙を検出したときに送風機３１が駆動するようにしても良い。
【００４２】
また、上述した実施の形態では、ケース３８の周壁３８ｃに進入口３８ａと排気口３８ｄを形成し、排気口３８ｄに対向する対面位置に案内する案内部材３９を設けた場合を例示したが、案内部材３９は設けなくてもよく、周壁３８ｃの端縁により包囲される開口部を排気口としても良い。図示しないが、案内部材を用いる場合であって開口部を排気口とする場合、その案内部材は、進入口３８ａからケース３８内部に進入する空気を底板３８ｂ内面に案内するようなものであることが好ましい。このような案内部材であっても、触媒体３７の間に空気を比較的長い距離通過させることができ、その空気に含まれる有害物質を触媒体３７に効果的に吸着させることができる。
【００４３】
更に、上述した実施の形態では、周壁３８ｃの端縁が開口された有底のケース３８を用いて説明したが、図示しないが、ケース３８は粒状又は塊状の触媒体３７を収容した状態でハウジング２６に格納可能であれば、周壁３８ｃの端縁により包囲される開口部を閉じてその開口部を介して触媒体３７の取出しが不能に構成された蓋板を別に設けてもよく、その蓋板をヒンジを介して周壁３８ｃの上縁に取付けても良い。
【図面の簡単な説明】
【００４４】
【図１】本発明実施形態の遊技場用空気清浄機を示す図６のＡ−Ａ線断面図である。
【図２】その清浄機の内部構成を示す分解斜視図である。
【図３】そのハウジングを台間パネルに取付ける状態を示す斜視図である。
【図４】その清浄機を斜め後方からみた斜視図である。
【図５】その清浄機を斜め前方からみた斜視図である。
【図６】その清浄機が併設された遊技機の正面図である。
【図７】その清浄機から吹出される空気の流れを示す遊技場の通路の断面図である。
【符号の説明】
【００４５】
１０  遊技台
２０  空気清浄機
２１  台間パネル
２２  排出口
２３  取入口
２６  ハウジング
２６ａ  鉛直板
２６ｂ、２６ｃ  側板
２６ｄ  上板
２６ｅ  下板
３１  送風機
３６  クリーナ
３７  触媒体
３８  ケース
３８ａ  進入口
３８ｂ  底板
３８ｃ  周壁
３８ｄ  排気口
４１  フィルタ
４２  ノズル部材
【図１】
2010057523.tif 000003
【図２】
2010057523.tif 000004
【図３】
2010057523.tif 000005
【図４】
2010057523.tif 000006
【図５】
2010057523.tif 000007
【図６】
2010057523.tif 000008
【図７】
2010057523.tif 000009